(57)【要約】【課題】食品を完全な密封状態に包装でき、しかも食品の自動包装を安全且つ確実に行えるようにする。【解決手段】袋体Ｐの一端開口部側を開放して搬送する搬送コンベア部２と、搬送コンベア部２に袋体Ｐを供給するホッパー部３と、回転円板の周状に沿って隣接配置した押し型４Ａ内に、食品を詰め込んで形成した食品固形物を、搬送コンベア部２によって搬送してきた袋体Ｐの内部に投入可能とした押し出し機構Ｓを備えたターンテーブル４と、ターンテーブル４の後段に設けられ、袋体Ｐの一端開口部側下縁部を上方に折り曲げ且つ左右両側を内側に折り曲げることで形成した三角状の上縁部分における直角三角形状の左右重なり部分Ｐ１を加熱圧着する一次折込シール部５と、三角状の上縁部分における直線状の下方折込箇所Ｐ２を加熱圧着する二次折込シール部６とを備える。【選択図】          図３
2004331206.tif 000002
【特許請求の範囲】
【請求項１】
内部に食品が投入され且つ一端開口部側を開放させて搬送されてきた袋体の一端開口部側下縁部を上方に折り曲げ且つ左右両側を内側に折り曲げることで形成された三角状の上縁部分における直角三角形状の左右重なり部分を加熱圧着させる一次折込シール部と、三角状の上縁部分における直線状の下方折込箇所を加熱圧着させる二次折込シール部とを備えたことを特徴とする食品類の自動包装装置。
【請求項２】
袋体の一端開口部側を開放させて袋体を搬送移動させる搬送コンベア部、搬送コンベア部に袋体を供給するホッパー部、回転可能な円板の周状に沿って隣接配置させた押し型内に食品を詰め込んで形成される食品固形物を、搬送コンベア部によって搬送されてきた袋体の内部に投入可能とした押し出し機構を備えて成るターンテーブルとを備えた自動包装装置であって、ターンテーブルの後段に、袋体の一端開口部側下縁部を上方に折り曲げ且つ左右両側を内側に折り曲げることで形成された三角状の上縁部分における直角三角形状の左右重なり部分を加熱圧着させる一次折込シール部と、三角状の上縁部分における直線状の下方折込箇所を加熱圧着させる二次折込シール部とを備えたことを特徴とする食品類の自動包装装置。
【請求項３】
二次折込シール後の三角状の上縁部分先端側にラベルを貼着してから下方に折り込んで袋体の一端開口部側を完全封止させるラベル貼着部を含む請求項１または２記載の食品類の自動包装装置。
【請求項４】
一次折込シール部は、昇降可能な台座ブロック体の上方向への移動に伴い互いに内側に傾斜した状態から互いに垂直に平行する状態に揺動可能となるようにアームリンクを介して台座ブロック体に取り付けられ、袋体の開口縁部下側を上方へ折り込むようにする左右一対の折込用プレートと、上下一対のガイドバーに沿って拡開乃至閉塞方向に移動可能となるようにアームリンク、Ｌ型リンクそれぞれの連繋によるリンク機構を介して取り付けられ、袋体の左右縁部を互いに内側に向けて折り込むようにする左右一対の折込用ブロックと、袋体の左右縁部折り込み位置まで閉塞移動した折込用ブロック上に圧接降下させて三角状の上縁部分における直角三角形状の左右重なり部分を加熱圧着させるヒートプレートとを備えて成る請求項１乃至３のいずれか記載の食品類の自動包装装置。
【請求項５】
二次折込シール部は、昇降可能な下側のヒートプレートと、ヒートプレート上に降下圧接すべく昇降可能な上側の押し当て部材とから成る請求項１乃至４のいずれか記載の食品類の自動包装装置。
【請求項６】
一次折込シール部における搬送コンベア部の搬送方向に沿った縁部には、空気吸引用の複数の孔部を設けて成る負圧式保持部を付設して成る請求項２乃至５のいずれか記載の食品類の自動包装装置。
【請求項７】
ホッパー部内から上下段の搬送コンベア部相互間に袋体を供給し、袋体の上下表面を上下段の搬送コンベア部によって吸着されて一端開口部側が開放させられた状態のまま搬送させると共に、ターンテーブルの押し型内に食品を詰め込んで形成してある食品固形物をいったん上方に押し上げてから、押し出し機構によって押し出し、搬送コンベア部によって搬送されてきた袋体内部に投入する工程と、
一次折込シール部において、上昇移動する左右一対の折込用プレートにより、袋体の一端開口部側下縁部を上方に折り曲げ、同時に折込用プレートと共に上昇移動されてきた左右一対の折込用ブロックをガイドバーに沿って閉塞移動させて袋体の一端開口部側の左右両側を内側に折り曲げることで三角状の上縁部分が折り込み形成された後に、ヒートプレートを降下させて、直角三角形状の左右重なり部分を加熱圧着させる工程と、
二次折込シール部において、ヒートプレートを袋体の三角状の上縁部分位置まで上昇移動させると共に、押し当て部材をヒートプレート上面当接位置まで降下移動させて袋体の三角状の上縁部分をヒートプレートと押し当て部材とによって挟持し、直線状の下方折込箇所を加熱圧着させる工程と、
から成ることを特徴とする食品類の自動包装方法。
【発明の詳細な説明】
【０００１】
【発明の属する技術分野】
本発明は、食品類として例えば三角形状に形成されたおにぎりを例えば紙シートもしくはフィルムシート等でもって自動包装するために構成された食品類の自動包装装置とその方法に関するものである。
従来における食品類として、例えばおにぎりを包装する場合には、矩形の外フィルムと内フィルムとの間にシート状食品（例えば海苔）を挟んだおにぎり包装シートにおいて、外フィルムには長手方向の中央部にフィルム自体を二分割可能な分離可能部（例えばカットテープ）を設け、シート状食品は外フィルムの分離可能部の近傍にて二分されており、内フィルムは部分的に外フィルムに分離可能に係止され、内フィルムの中央部に引出し片を備えたものとして形成されているものがある（特許文献１参照）。
【０００２】
【特許文献１】
実開平２−３６９９１号公報
【０００３】
【発明が解決しようとする課題】
しかしながらこのような従来における包装シートを食品に自動包装する場合には、外フィルムの長手方向の中央部にフィルム自体を二分割可能な分離可能部を設けたり、内フィルムの中央部に引出し片を備えたりする等の複雑な工程を必要としているため、装置自体の構成が煩雑化してしまうと共に、分離可能部、引出し片それぞれの周辺がきわめて脆弱であるために破断しやすく、食品を完全な密封状態に包装することも困難である等の問題点を有していた。
【０００４】
そこで、本発明は、叙上のような従来存した諸事情に鑑み創出されたもので、簡易に構成された装置によって食品を完全な密封状態に包装することが可能であって、しかも食品の自動包装を安全且つ確実に行なえるようにした食品類の自動包装装置とその方法を提供することを目的とする。
【０００５】
【課題を解決するための手段】
上述した課題を解決するため、本発明にあっては、内部に食品が投入され且つ一端開口部側を開放させて搬送されてきた袋体Ｐの一端開口部側下縁部を上方に折り曲げ且つ左右両側を内側に折り曲げることで形成された三角状の上縁部分における直角三角形状の左右重なり部分Ｐ１を加熱圧着させる一次折込シール部５と、三角状の上縁部分における直線状の下方折込箇所Ｐ２を加熱圧着させる二次折込シール部６とを備えたものである。
【０００６】
袋体Ｐの一端開口部側を開放させて袋体Ｐを搬送移動させる搬送コンベア部２、搬送コンベア部２に袋体Ｐを供給するホッパー部３、回転可能な円板の周状に沿って隣接配置させた押し型４Ａ内に、食品を詰め込んで形成される例えばおにぎりＱ等の食品固形物を、搬送コンベア部２によって搬送されてきた袋体Ｐの内部に挿入可能とした押し出し機構Ｓを備えて成るターンテーブル４とを備えた自動包装装置１であって、ターンテーブル４の後段に、袋体Ｐの一端開口部側下縁部を上方に折り曲げ且つ左右両側を内側に折り曲げることで形成された三角状の上縁部分における直角三角形状の左右重なり部分Ｐ１を加熱圧着させる一次折込シール部５と、三角状の上縁部分における直線状の下方折込箇所Ｐ２を加熱圧着させる二次折込シール部６とを備えたものとすることができる。
【０００７】
二次折込シール後の三角状の上縁部分先端側にラベルＬを貼着してから下方に折り込んで袋体Ｐの一端開口部側を完全封止させるラベル貼着部７を含むもとすることができる。
【０００８】
一次折込シール部５は、昇降可能な台座ブロック体５２の上方向への移動に伴い互いに内側に傾斜した状態から互いに垂直に平行する状態に揺動可能となるようにアームリンク５３Ａ、５３Ｂを介して台座ブロック体５２に取り付けられ、袋体Ｐの開口縁部下側を上方へ折り込むようにする左右一対の折込用プレート５４Ａ、５４Ｂと、上下一対のガイドバー５５Ａ、５５Ｂに沿って拡開乃至閉塞方向に移動可能となるようにアームリンク５６Ａ、５６Ｂ、Ｌ型リンク５７Ａ、５７Ｂそれぞれの連繋によるリンク機構を介して取り付けられ、袋体Ｐの左右縁部を互いに内側に向けて折り込むようにする左右一対の折込用ブロック５８Ａ、５８Ｂと、袋体Ｐの左右縁部折り込み位置まで閉塞移動した折込用ブロック５８Ａ、５８Ｂ上に圧接降下させて三角状の上縁部分における直角三角形状の左右重なり部分Ｐ１を加熱圧着させるヒートプレート５９とを備えたものとすることができる。
【０００９】
二次折込シール部６は、昇降可能な下側のヒートプレート６２と、ヒートプレート６２上に降下圧接すべく昇降可能な上側の押し当て部材６４とから成るものとすることができる。
【００１０】
一次折込シール部５における搬送コンベア部２の搬送方向に沿った縁部には、空気吸引用の複数の孔部を設けて成る負圧式保持部５３０を付設して成るものとすることができる。
【００１１】
ホッパー部３内から上下段の搬送コンベア部２相互間に袋体Ｐを供給し、袋体Ｐの上下表面を上下段の搬送コンベア部２によって吸着されて一端開口部側が開放させられた状態のまま搬送させると共に、ターンテーブル４の押し型４Ａ内に食品を詰め込んで形成してある食品固形物をいったん上方に押し上げてから、押し出し機構Ｓによって押し出し、搬送コンベア部２によって搬送されてきた袋体Ｐ内部に投入する工程と、一次折込シール部５において、上昇移動する左右一対の折込用プレート５４Ａ、５４Ｂにより、袋体Ｐの一端開口部側下縁部を上方に折り曲げ、同時に折込用プレート５４Ａ、５４Ｂと共に上昇移動されてきた左右一対の折込用ブロック５８Ａ、５８Ｂをガイドバー５５Ａ、５５Ｂに沿って閉塞移動させて袋体Ｐの一端開口部側の左右両側を内側に折り曲げることで三角状の上縁部分が折り込み形成された後に、ヒートプレート５９を降下させて、直角三角形状の左右重なり部分Ｐ１を加熱圧着させる工程と、二次折込シール部６において、ヒートプレート６２を袋体Ｐの三角状の上縁部分位置まで上昇移動させると共に、押し当て部材６４をヒートプレート６２上面当接位置まで降下移動させて袋体Ｐの三角状の上縁部分をヒートプレート６２と押し当て部材６４とによって挟持し、直線状の下方折込箇所Ｐ２を加熱圧着させる工程とから成るものである。
【００１２】
以上のように構成された本発明に係る装置において、一次折込シール部５は、上昇移動する左右一対の折込用プレート５４Ａ、５４Ｂにより、袋体Ｐの一端開口部側下縁部を上方に折り曲げ、同時に折込用プレート５４Ａ、５４Ｂと共に上昇移動されてきた左右一対の折込用ブロック５８Ａ、５８Ｂをガイドバー５５Ａ、５５Ｂに沿って閉塞移動させ、これによって袋体Ｐの一端開口部側の左右両側を内側に折り曲げ、三角状の上縁部分を折り込み形成させる。そして、ヒートプレート５９を降下させて、当該ヒートプレート５９と、閉塞状態の折込用プレート５４Ａ、５４Ｂとの間に、左右の三角状の上縁部分における直角三角形状の左右重なり部分Ｐ１を加熱圧着させ、内側のシール面部同士を融着させる。
【００１３】
二次折込シール部６は、ヒートプレート６２を袋体Ｐの三角状の上縁部分位置まで上昇移動させると共に、押し当て部材６４をヒートプレート６２上面当接位置まで降下移動させて袋体Ｐの三角状の上縁部分をヒートプレート６２と押し当て部材６４とによって挟持させ、三角状の上縁部分における直線状の下方折込箇所Ｐ２を下方へ折り込むと同時に加熱圧着させる。これにより袋体Ｐの三角状の上縁部分の下方折込箇所Ｐ２を確実に接着させる。
【００１４】
一次折込シール部５の負圧式保持部５３０は、袋体Ｐの一端開口部側の下側折り込み相当箇所を吸着保持させ、これによって一次折込シール部５の左右一対の折込用プレート５４Ａ、５４Ｂでもって袋体Ｐの開口縁部下側を上方へ折り込んだ際に、下側折り込み相当箇所に沿って開口縁部下側を正確に折り込ませる。
【００１５】
【発明の実施の形態】
以下、図面を参照して本発明の実施の形態を説明すると、図において示される符号１は、食品の固形物として例えばシャリを三角形状に握り形成したおにぎりＱを、例えば紙シートもしくはフィルムシート等でもって自動包装するために構成され、下部に配したキャスター部Ｒによって移動可能とした自動包装装置である。
【００１６】
図１、図２に示すように、自動包装装置１は、袋体Ｐの上下表面を吸着させて一端開口部側を開放させるようにして袋体Ｐを搬送移動させるための上下段に対向配置させた無端ベルトによる袋体Ｐ搬送用の搬送コンベア部２と、上下段の搬送コンベア部２相互間に袋体Ｐを供給するためのホッパー部３と、おにぎりＱ形成用の三角形窪み状の例えば八個の押し型４Ａを回転可能な円板の周状に沿って隣接配置させ、押し型４Ａ内にシャリを詰め込んで形成されているおにぎりＱをいったん上方に押し上げてから、搬送コンベア部２によって搬送されてきた袋体Ｐの内部にガイド部４Ｂを介しておにぎりＱを挿入可能とした押し出し機構Ｓを備えて成るターンテーブル４とを備えている。
【００１７】
そして、袋体Ｐの一端開口部側下縁部を上方に折り曲げ且つ左右両側を内側に折り曲げることで形成された三角状の上縁部分における直角三角形状の左右重なり部分Ｐ１を加熱圧着させるための一次折込シール部５と、三角状の上縁部分における直線状の下方折込箇所Ｐ２を加熱圧着させるための二次折込シール部６と、二次折込シール後の三角状の上縁部分先端側にラベルＬを貼着してから下方に折り込んで袋体Ｐの一端開口部側を完全封止させるためのラベル貼着部７と、搬送コンベア部２の下段側に配した無端ベルトによる排出コンベア部８とを備えている。
【００１８】
袋体Ｐは、例えば紙シートもしくは透明フィルムシート等の一面に熱融着可能なヒートシール用の接着剤を塗布乾燥させてあり、この袋体Ｐを接着面側を内側にして筒状となるように端部側を加熱圧着してから、筒長手方向に沿って左右対称部位をそれぞれ内側に向けて略Ｖ字形に折り込んでシート状に畳んだ後、一端開口側を加熱圧着によって接着封止し、他端開口側を開放状態にして構成されており、これら袋体Ｐは、所定の枚数だけホッパー部３内に重合、収容されている。
【００１９】
次に、一次折込シール部５の具体的な構成について図４乃至図８に基づき説明する。一次折込シール部５は、昇降可能な支柱５１の上端に取り付けた台座ブロック体５２に対し、支柱５１の上方向への移動に伴い互いに内側に傾斜した状態から互いに垂直に平行する状態に揺動可能となるようにアームリンク５３Ａ、５３Ｂを介して取り付けられ、袋体Ｐの開口縁部下側を上方へ折り込むための左右一対の折込用プレート５４Ａ、５４Ｂと、上下一対のガイドバー５５Ａ、５５Ｂに沿って拡開乃至閉塞方向に移動可能となるようにアームリンク５６Ａ、５６Ｂ、Ｌ型リンク５７Ａ、５７Ｂそれぞれの連繋によるリンク機構を介して取り付けられ、袋体Ｐの左右縁部を互いに内側に向けて折り込むための左右一対の折込用ブロック５８Ａ、５８Ｂと、袋体Ｐの左右縁部折り込み位置まで閉塞移動した折込用ブロック５８Ａ、５８Ｂ上に圧接降下させ、当該折込用ブロック５８Ａ、５８Ｂ上から突出した三角状の上縁部分における直角三角形状の左右重なり部分Ｐ１を、抵抗加熱体の通電により例えば１４０℃前後の温度で加熱圧着させるための熱伝導性の良い金属等のヒートプレート５９とを備えている。このとき、ヒートプレート５９は、袋体Ｐの三角状の上縁部分における左右重なり部分Ｐ１に合致対応すべく、中央の合成樹脂製等の断熱材を介して左右に分離形成されている。
【００２０】
すなわち、自動包装装置１のテーブル面に穿設した孔部に、例えば油圧ポンプ式もしくは回転カム式等の不図示の昇降機構に下端側が連繋されて成る昇降自在な支柱５１を貫挿させ、支柱５１の上端側中程には、当該支柱５１に巻挿されたコイルスプリングＣ１を介して台座ブロック体５２を取り付け、台座ブロック体５２上側に突出した支柱先端側には、支柱５１に巻挿されたコイルスプリングＣ２を介して台座プレート体５２１を取り付けてある。この台座プレート体５２１の背面側には図６に示したように、Ｌ字形に屈曲したアングル部材５２２の一端片を固定し、他端片の中央部に形成した筒状のガイド部５２３を、テーブル面上に立設したガイドポール５２４にスライド自在に貫挿し、ガイドポール５２４の上端側には、所定の位置でガイド部５２３を係止するために、取り付け位置を変更可能とした横ネジ固定式のストッパー部５２５が設けられている。こうして台座ブロック体５２が昇降機構によりコイルスプリングＣ１の拡圧弾力に任せて上昇した際には、ガイド部５２３がストッパー部５２５に係止されることで、折込用プレート５４Ａ、５４Ｂ、折込用ブロック５８Ａ、５８Ｂそれぞれが搬送コンベア部２上の袋体Ｐの一端開口部側に位置付けされるようにしてある。
【００２１】
そして、台座ブロック体５２の前側面左右対称位置には、それぞれアームリンク５６Ａ、５６Ｂの一端が回動可能に取り付けられ、アームリンク５６Ａ、５６Ｂの他端は、直角部を台座プレート体５２１の前側面左右対称位置に回動可能に取り付けられたＬ型リンク５７Ａ、５７Ｂの短尺アーム側に回動可能に連繋されている。一方、Ｌ型リンク５７Ａ、５７Ｂの長尺アーム側端部に穿設した長孔５７Ｃには、上下一対のガイドバー５５Ａ、５５Ｂに沿って拡開乃至閉塞方向に移動可能とした左右一対の折込用ブロック５８Ａ、５８Ｂの前側面にそれぞれ突出形成したネジ軸部にねじ込ませてある低摩擦性を有する合成樹脂製のブッシュ部５８Ｃが遊嵌されている。また、台座プレート体５２１の上面背後寄りにおいて前向きに固定されている起立板面部５２６の左右対称位置には、若干口径の大きな円形開口部５２７を穿設し、起立板面部５２６の裏側に配置された矩形板状の折込用プレート５４Ａ、５４Ｂの下端側を円形開口部５２７を介してアームリンク５３Ａ、５３Ｂの一端に回動可能に取り付け、アームリンク５３Ａ、５３Ｂの他端を、起立板面部５２６の表側で且つ円形開口部５２７よりも互いに内側に位置するところに回動可能に取り付けてある。
【００２２】
起立板面部５２６の表側中央位置には、矩形厚板状の仕切板部５２８が側平面を横向きとした状態にネジ等で締結固定され、仕切板部５２８の略中央に上下二段位置に穿設された孔部に、前記上下一対のガイドバー５５Ａ、５５Ｂそれぞれがスライド可能に貫挿されている。この仕切板部５２８の上側端面部には、押し込みによるコイルスプリングＣ３の圧縮によって退避可能とした突起部５２９を設けてあり、折込用プレート５４Ａ、５４Ｂ、折込用ブロック５８Ａ、５８Ｂそれぞれが搬送コンベア部２上の袋体Ｐの一端開口部側に位置付けされた際に、突起部５２９によって袋体Ｐの一端開口部の上縁側を若干上方に押し出す状態となって、折込用プレート５４Ａ、５４Ｂ、折込用ブロック５８Ａ、５８Ｂそれぞれによる以後の折込動作が容易となるようにしてある。
【００２３】
また、一次折込シール部５における下側の搬送コンベア部２の搬送方向に沿った縁部には、矩形板状の長手側面に空気吸引用の複数の孔部を設けて成る負圧式保持部５３０を付設して、袋体Ｐの一端開口部側の下側折り込み相当箇所を吸着保持するものとしてあり、これによって一次折込シール部５の左右一対の折込用プレート５４Ａ、５４Ｂによって袋体Ｐの開口縁部下側を上方へ折り込んだ際に、下側折り込み相当箇所に沿って確実に折り込むことができ、袋体Ｐ内部のおにぎりＱが崩れないものとなるようにしてある。
【００２４】
次に、二次折込シール部６の具体的な構成について、図４、図９に基づき説明する。二次折込シール部６は、昇降可能な支柱６１の上端に取り付けたヒートプレート６２と、上昇移動したヒートプレート６２上に降下圧接すべく昇降可能な支柱６３の上端に取り付けた押し当て部材６４とから構成され、袋体Ｐの三角状の上縁部分をヒートプレート６２と押し当て部材６４とによって挟持し、加熱圧着させて下方折込箇所Ｐ２を確実に接着するようにしてある。このときヒートプレート６２の縦断面形状が上側傾斜状の略台形となるように形成してあり、これによりヒートプレート６２の背面側を、袋体Ｐの一端開口部に対応する面積を有するようにし且つヒートプレート６２上面を下向き傾斜面状となって、袋体Ｐの三角状の上縁部分を下方へ斜めに折り込めるようにしてある。一方、押し当て部材６４のヒートプレート当接面は、下向き傾斜面状のヒートプレート６２上面に対向して傾斜しており、この傾斜面には高融点のシリコンゴム板６５が貼着されている。
【００２５】
次に、以上のように構成された実施の形態についての使用、動作の一例を説明するに、図３に示すように、多数の袋体Ｐが重合、収容されたホッパー部３内下部から上下段の搬送コンベア部２相互間に袋体Ｐを一枚ずつ供給する。このとき袋体Ｐの上下表面は、上下段の搬送コンベア部２によって吸着されて一端開口部側が開放させられた状態のまま袋体Ｐは搬送移動する。一方、ターンテーブル４の押し型４Ａ内にシャリを詰め込んで形成してあるおにぎりＱをいったん上方に押し上げてから、押し出し機構Ｓによって三角形状のおにぎりＱの後部一辺部分を押し出してガイド部４Ｂを介して、搬送コンベア部２によって搬送されてきた袋体Ｐ内部に投入する。そして、おにぎりＱを投入した袋体Ｐは搬送コンベア部２によって一次折込シール部５へ搬送される。ガイド部４Ｂは、内部に収容されたおにぎりＱに押されて上下に開く一対の嘴状開閉具にて形成されている。
【００２６】
図８（ａ）、（ｂ）に示すように、一次折込シール部５において、上昇移動する左右一対の折込用プレート５４Ａ、５４Ｂにより、袋体Ｐの一端開口部側下縁部を上方に折り曲げ、同時に折込用プレート５４Ａ、５４Ｂと共に上昇移動されてきた左右一対の折込用ブロック５８Ａ、５８Ｂをガイドバー５５Ａ、５５Ｂに沿って閉塞移動させることで、袋体Ｐの一端開口部側の左右両側を内側に折り曲げることで三角状の上縁部分が折り込み形成される。そして、ヒートプレート５９を降下させて、当該ヒートプレート５９と、閉塞状態の折込用プレート５４Ａ、５４Ｂとの間に、左右の三角状の上縁部分における直角三角形状の左右重なり部分Ｐ１を加熱圧着させ、内側のシール面部同士を融着する。そして、左右一対の折込用ブロック５８Ａ、５８Ｂをガイドバー５５Ａ、５５Ｂに沿って互いに拡開移動させると同時に、折込用ブロック５８Ａ、５８Ｂと共に折込用プレート５４Ａ、５４Ｂを降下移動させる。この後、袋体Ｐは搬送コンベア部２によって二次折込シール部６へ搬送される。
【００２７】
図９に示すように、二次折込シール部６において、ヒートプレート６２を袋体Ｐの三角状の上縁部分位置まで上昇移動させると共に、押し当て部材６４をヒートプレート６２上面当接位置まで降下移動させて袋体Ｐの三角状の上縁部分をヒートプレート６２と押し当て部材６４とによって挟持し、三角状の上縁部分における直線状の下方折込箇所Ｐ２を下方へ斜めに折り込むと同時に加熱圧着させる。このようにして袋体Ｐの三角状の上縁部分の下方折込箇所Ｐ２を確実に接着するのである。そして、ヒートプレート６２と押し当て部材６４とを互いに離反方向に移動させ、袋体Ｐは搬送コンベア部２によってラベル貼着部７へ搬送される。
【００２８】
ラベル貼着部７において、下方へ斜めに折り込まれた二次折込シール後の三角状の上縁部分先端側にラベルＬを貼着してから下方に折り込んで袋体Ｐの一端開口部側を完全封止する。しかる後、搬送コンベア部２の下段側に配した排出コンベア部８上へ排出される。
【００２９】
【発明の効果】
本発明は以上のように構成されているために、簡易に構成された装置によって食品を完全な密封状態に包装することが可能であって、しかも食品の自動包装を安全且つ確実に行なうことができる。
【００３０】
すなわち、これは本発明が、内部に食品が投入され且つ一端開口部側を開放させて搬送されてきた袋体Ｐの一端開口部側下縁部を上方に折り曲げ且つ左右両側を内側に折り曲げることで形成された三角状の上縁部分における直角三角形状の左右重なり部分Ｐ１を加熱圧着させる一次折込シール部５と、三角状の上縁部分における直線状の下方折込箇所Ｐ２を加熱圧着させる二次折込シール部６とを備えたからである。
【００３１】
また、袋体Ｐの一端開口部側を開放させて袋体Ｐを搬送移動させる搬送コンベア部２、搬送コンベア部２に袋体Ｐを供給するホッパー部３、回転可能な円板の周状に沿って隣接配置させた押し型４Ａ内に、食品を詰め込んで形成される例えばおにぎりＱ等の食品固形物を、搬送コンベア部２によって搬送されてきた袋体Ｐの内部に投入可能とした押し出し機構Ｓを備えて成るターンテーブル４とを備えた自動包装装置１であって、ターンテーブル４の後段に、袋体Ｐの一端開口部側下縁部を上方に折り曲げ且つ左右両側を内側に折り曲げることで形成された三角状の上縁部分における直角三角形状の左右重なり部分Ｐ１を加熱圧着させる一次折込シール部５と、三角状の上縁部分における直線状の下方折込箇所Ｐ２を加熱圧着させる二次折込シール部６とを備えてあり、これにより、食品を確実に包装することができ、完全な密封状態を得ることができる。しかも従来のように外フィルム自体に二分割可能な分離可能部を設けたり、内フィルムの中央部に引出し片を備えたりする等の複雑な工程を必要としないため、装置自体も構成簡単に製作することができる。
【００３２】
二次折込シール後の三角状の上縁部分先端側にラベルＬを貼着してから下方に折り込んで袋体Ｐの一端開口部側を完全封止させるラベル貼着部７を含むので、二次折込シール後における上縁部分の貼着部分に対し確実且つ容易にラベルＬを接着して完全封止させることができる。
【００３３】
一次折込シール部５は、昇降可能な台座ブロック体５２の上方向への移動に伴い互いに内側に傾斜した状態から互いに垂直に平行する状態に揺動可能となるようにアームリンク５３Ａ、５３Ｂを介して台座ブロック体５２に取り付けられ、袋体Ｐの開口縁部下側を上方へ折り込むようにする左右一対の折込用プレート５４Ａ、５４Ｂと、上下一対のガイドバー５５Ａ、５５Ｂに沿って拡開乃至閉塞方向に移動可能となるようにアームリンク５６Ａ、５６Ｂ、Ｌ型リンク５７Ａ、５７Ｂそれぞれの連繋によるリンク機構を介して取り付けられ、袋体Ｐの左右縁部を互いに内側に向けて折り込むようにする左右一対の折込用ブロック５８Ａ、５８Ｂと、袋体Ｐの左右縁部折り込み位置まで閉塞移動した折込用ブロック５８Ａ、５８Ｂ上に圧接降下させて三角状の上縁部分における直角三角形状の左右重なり部分Ｐ１を加熱圧着させるヒートプレート５９とを備えて成るので、袋体Ｐの三角状の上縁部分における直角三角形状の左右重なり部分Ｐ１を確実且つ容易に接着することができる。
【００３４】
二次折込シール部６は、昇降可能な下側のヒートプレート６２と、ヒートプレート６２上に降下圧接すべく昇降可能な上側の押し当て部材６４とから成るので、袋体Ｐの三角状の上縁部分における下方折込箇所Ｐ２を確実且つ容易に接着することができる。
【００３５】
一次折込シール部５における搬送コンベア部２の搬送方向に沿った縁部には、空気吸引用の複数の孔部を設けて成る負圧式保持部５３０を付設して成るので、一次折込シール部５の左右一対の折込用プレート５４Ａ、５４Ｂでもって袋体Ｐの開口縁部下側を上方へ折り込んだ際に、下側折り込み相当箇所に沿って開口縁部下側を正確に折り込ませることができる。
【００３６】
ホッパー部３内から供給した袋体Ｐの上下表面を上下段の搬送コンベア部２によって吸着されて一端開口部側が開放させられた状態のまま搬送させると共に、ターンテーブル４の押し型４Ａ内に食品を詰め込んで形成してある食品固形物をいったん上方に押し上げてから、押し出し機構Ｓによって押し出し、搬送コンベア部２によって搬送されてきた袋体Ｐ内部に投入する工程と、
一次折込シール部５において、上昇移動する左右一対の折込用プレートにより、袋体の一端開口部側下縁部を上方に折り曲げ、同時に折込用プレートと共に上昇移動されてきた左右一対の折込用ブロックをガイドバーに沿って閉塞移動させて袋体の一端開口部側の左右両側を内側に折り曲げることで三角状の上縁部分が折り込み形成された後に、ヒートプレートを降下させて、直角三角形状の左右重なり部分を加熱圧着させる工程と、
二次折込シール部６において、ヒートプレートを袋体の三角状の上縁部分位置まで上昇移動させると共に、押し当て部材をヒートプレート上面当接位置まで降下移動させて袋体の三角状の上縁部分をヒートプレートと押し当て部材とによって挟持し、直線状の下方折込箇所を下方へ斜めに折り込むと同時に加熱圧着させる工程とから成るので、食品を完全な密封状態に包装することが可能であって、しかも食品の包装を安全且つ確実に行なうことができる。
【図面の簡単な説明】
【図１】本発明の一実施の形態における使用状態の平面図である。
【図２】同じく使用状態の正面図である。
【図３】同じく自動包装工程を説明するための説明図である。
【図４】一次折込シール部、二次折込シール部それぞれの使用状態の要部を示す斜視図である。
【図５】同じく一次折込シール部の構成の一部を示す正面図である。
【図６】図５中、Ｘ−Ｘ線矢視断面図である。
【図７】一次折込シール部による袋体の折込状態を示す正面図である。
【図８】一次折込シール部による袋体の折込工程を説明するもので、（ａ）は互いに上昇移動した左右一対の折込用プレートによって袋体の開口縁部下側を上方へ折り込んだ状態の斜視図、（ｂ）は互いに近接移動した左右一対の折込用ブロックによって袋体の左右縁部を互いに内側に向けて折り込み、上方側からヒートプレートを降下圧接した状態の斜視図である。
【図９】二次折込シール部による袋体の折込シール工程を説明する斜視図である。
【符号の説明】
Ｐ                袋体
Ｐ１              左右重なり部分
Ｐ２              下方折込箇所
Ｑ                おにぎり（食品固形物）
Ｒ                キャスター部
Ｓ                押し出し機構部
Ｌ                ラベル
Ｃ１、Ｃ２、Ｃ３  コイルスプリング
１                自動包装装置
２                搬送コンベア部
３                ホッパー部
４                ターンテーブル
４Ａ              押し型
４Ｂ              ガイド部
５                一次折込シール部
５１              支柱
５２              台座ブロック体
５３Ａ、５３Ｂ    アームリンク
５４Ａ、５４Ｂ    折込用プレート
５５Ａ、５５Ｂ    ガイドバー
５６Ａ、５６Ｂ    アームリンク
５７Ａ、５７Ｂ    Ｌ型リンク
５７Ｃ            長孔
５８Ｃ            ブッシュ部
５９              ヒートプレート
５２１            台座プレート体
５２２            アングル部材
５２３            ガイド部
５２４            ガイドポール
５２５            ストッパー部
５２６            起立板面部
５２７            円形開口部
５２８            仕切板部
５２９            突起部
６                二次折込シール部
６１、６３        支柱
６２              ヒートプレート
６４              押し当て部材
８                排出コンベア部
【図１】
2004331206.tif 000003
【図２】
2004331206.tif 000004
【図３】
2004331206.tif 000005
【図４】
2004331206.tif 000006
【図５】
2004331206.tif 000007
【図６】
2004331206.tif 000008
【図７】
2004331206.tif 000009
【図８】
2004331206.tif 000010
【図９】
2004331206.tif 000011